(57)【要約】【課題】後続の演奏予約曲より予約を後回しにさせる。【解決手段】遠慮フラグのつかない楽曲ＩＤの入力と、遠慮フラグのついた楽曲ＩＤの入力を可能とする操作入力手段と、制御手段の制御によりカラオケ楽曲を演奏する手段を備え、待ち行列に登録された楽曲ＩＤに従って順番に演奏し、遠慮フラグのつかない楽曲ＩＤを受け付けた際、当該楽曲ＩＤを待ち行列に登録し、遠慮フラグのついた楽曲ＩＤの入力を受け付けた際、受け付けた楽曲ＩＤをメモリに記録するとともに、当該楽曲ＩＤ記録に対応付けしたタイマを起動し、起動されたタイマがタイムアップした際、当該タイマに対応付けてメモリに記録された楽曲ＩＤを待ち行列に登録するカラオケ装置を提供する。【選択図】図４
2008310264.tif 000002
【特許請求の範囲】
【請求項１】
操作入力手段と、演奏手段と、制御手段と、メモリを備え、待ち行列に登録された楽曲ＩＤに従って順番に演奏するカラオケ装置であって、
操作入力手段は、遠慮フラグのつかない楽曲ＩＤの入力と、遠慮フラグのついた楽曲ＩＤの入力を可能とし、
演奏手段は、制御手段の制御によりカラオケ楽曲を演奏し、
制御手段は、遠慮フラグのつかない楽曲ＩＤの入力を受け付けた際、当該楽曲ＩＤを待ち行列に登録するとともに、遠慮フラグのついた楽曲ＩＤの入力を受け付けた際、第１〜第２処理を行ない、
第１処理は、受け付けた楽曲ＩＤをメモリに記録するとともに、当該楽曲ＩＤ記録に対応付けしたタイマを起動し、
第２処理は、起動されたタイマがタイムアップした際、当該タイマに対応づけてメモリに記録された楽曲ＩＤを待ち行列に登録する
カラオケ装置。
【請求項２】
操作入力手段と、演奏手段と、制御手段と、メモリを備え、待ち行列に登録された楽曲ＩＤに従って順番に演奏するカラオケ装置であって、
操作入力手段は、待ち時間情報のつかない楽曲ＩＤの入力と、待ち時間情報のついた楽曲ＩＤの入力を可能とし、
演奏手段は、制御手段の制御によりカラオケ楽曲を演奏し、
制御手段は、待ち時間情報のつかない楽曲ＩＤの入力を受け付けた際、当該楽曲ＩＤを待ち行列に登録するとともに、待ち時間情報のついた楽曲ＩＤの入力を受け付けた際、第１〜第２処理を行ない、
第１処理は、受け付けた楽曲ＩＤをメモリに記録するとともに、当該楽曲ＩＤ記録に対応付けしたタイマに受け付けた待ち時間情報に基づく時間値をプリセットして当該タイマを起動し、
第２処理は、起動されたタイマがタイムアップした際、当該タイマに対応づけてメモリに記録された楽曲ＩＤを待ち行列に登録する
カラオケ装置。
【発明の詳細な説明】
【技術分野】
【０００１】
この発明は、グループでカラオケ利用する場合などに、選曲した楽曲の予約順番を入れ替えて、同じ利用者が続けて歌唱することがないようにしたカラオケ装置に関する。
【背景技術】
【０００２】
カラオケ装置は、リモコン装置などのユーザインタフェースを介して受け付けた予約楽曲の楽曲ＩＤを演奏処理の待ち行列に登録し、待ち行列から順番に楽曲ＩＤを取り出してその楽曲を次々と演奏する。そのため、同じ利用者が続けて予約すると、同じ利用者が続けて歌唱することになり、グループでカラオケを楽しむ場合に、各利用者に平等な歌唱機会が与えられない。そこで、とくに大勢でカラオケを楽しむ場合には、歌唱の機会が平等に巡るように、メンバー間で歌唱順を考慮しながら順番に希望曲を演奏予約することが望ましい。
【発明の開示】
【発明が解決しようとする課題】
【０００３】
近頃のカラオケ店では、多数のカラオケ楽曲を収録した分厚い目次本のかわりに、タブレットタイプのコンピュータで構成された電子目次本（カラオケ選曲装置）がよく利用されている。このようなカラオケ選曲装置は、タブレットコンピュータの高い演算能力や記憶能力、通信能力を利用して、多様な切り口で検索させて選曲することができる。たとえば、特許第３６４５２１１号公報には、利用者の年齢や年代に基づいて、利用者の記憶に残る年代の流行曲を検索する、いわゆるあの頃検索について開示されている。このような多様な選曲機能は、選曲すること自体がカラオケ歌唱とは別の楽しみを創出している。利用者はゲーム感覚でその操作に夢中になることも多い。また、久しぶりにカラオケ店に行ったり、多数の新譜が加わっていたりすると、一人の人がつい目次本や選曲装置を独占して複数の楽曲を連続して予約してしまう場合もある。
【０００４】
そこで本発明者は、選曲した曲の予約を後回しにすることができれば、一人が一度に複数の楽曲を選曲したとしても同伴者全員に平等に歌唱機会が与えられると考えた。たとえばメンバーが５人いれば、今選曲した楽曲を他のメンバーが選曲した５曲が予約された頃を見計らってその後に予約されるように待機させることができれば、他のメンバーに気兼ねなく予約操作を行える。またその頃の場の盛り上がり具合を想定しながら選曲することもできる。そうすると、選曲操作も効率よく行えるし、メンバー間でスムーズに選曲装置や目次本など融通し合えて、カラオケの場も和やかになる。そのようなことを考えながら本発明を創作した。
【課題を解決するための手段】
【０００５】
この発明に係るカラオケ装置は、分説すると、つぎの事項（１）〜（６）により特定されるものである。  
（１）操作入力手段と、演奏手段と、制御手段とメモリを備え、待ち行列に登録された楽曲ＩＤに従って順番に演奏するカラオケ装置であること
（２）操作入力手段は、遠慮フラグのつかない楽曲ＩＤの入力と、遠慮フラグのついた楽曲ＩＤの入力を可能とすること
（３）演奏手段は、制御手段の制御によりカラオケ楽曲を演奏すること
（４）制御手段は、遠慮フラグのつかない楽曲ＩＤの入力を受け付けた際、当該楽曲ＩＤを待ち行列に登録するとともに、遠慮フラグのついた楽曲ＩＤの入力を受け付けた際、第１〜第２処理を行なうこと
（５）第１処理は、受け付けた楽曲ＩＤをメモリに記録するとともに、当該楽曲ＩＤ記録に対応付けしたタイマを起動すること
（６）第２処理は、起動されたタイマがタイムアップした際、当該タイマに対応づけてメモリに記録された楽曲ＩＤを待ち行列に登録すること
【０００６】
またこの発明は、つぎの事項（11）〜（16）により特定されるものである。  
（11）操作入力手段と、演奏手段と、制御手段と、メモリを備え、待ち行列に登録された楽曲ＩＤに従って順番に演奏するカラオケ装置であること
（12）操作入力手段は、待ち時間情報のつかない楽曲ＩＤの入力と、待ち時間情報のついた楽曲ＩＤの入力を可能とすること
（13）演奏手段は、制御手段の制御によりカラオケ楽曲を演奏すること
（14）制御手段は、待ち時間情報のつかない楽曲ＩＤの入力を受け付けた際、当該楽曲ＩＤを待ち行列に登録するとともに、待ち時間情報のついた楽曲ＩＤの入力を受け付けた際、第１〜第２処理を行なうこと
（15）第１処理は、受け付けた楽曲ＩＤをメモリに記録するとともに、当該楽曲ＩＤ記録に対応付けしたタイマに受け付けた待ち時間情報に基づく時間値をプリセットして当該タイマを起動すること
（16）第２処理は、起動されたタイマがタイムアップした際、当該タイマに対応づけてメモリに記録された楽曲ＩＤを待ち行列に登録すること
【発明の効果】
【０００７】
本発明のカラオケ装置によれば、希望曲をすぐにではなく所定時間だけ経過してから演奏予約することができるので、選曲操作を行ったら、一人の利用者が他のメンバーに気兼ねすることなく連続して予約操作を行える。また、一人の利用者が一度に複数の楽曲を予約する機会が増えるので、選曲に関わる時間や手間が、複数の利用者が一曲ずつ順番に選曲操作を行うより省力でき、カラオケ歌唱に集中できる。また、所定時間が経過した頃のカラオケの場の盛り上がり具合をある程度予想しながら選曲予約できるので、場の雰囲気にあった曲を選曲しやすく、カラオケの場がより和やかになることを期待できる。
【実施例】
【０００８】
＝＝＝カラオケ装置の基本構成＝＝＝
図１に本実施例におけるカラオケ装置の構成を例示した。本実施例のカラオケ装置は、周知の通信カラオケシステムの一部であり、複数の客室１２０を備えたカラオケ店舗において、同室内にあるカラオケ演奏端末（以下、演奏端末１０）と、当該演奏端末を操作するための客室端末２０とで構成される。カラオケ店舗にはＬＡＮ１１０が敷設され、このＬＡＮ１１０を介して各客室の演奏端末１０と同室内の客室端末２０とが通信する。
【０００９】
客室端末２０は、タッチパネルを主要なユーザインタフェースとしたタブレットコンピュータと同様のハードウェア構成であり、所定規格の無線ＬＡＮインタフェースを実装する。内蔵する外部記憶に、演奏予約などの操作対象となる同室内の演奏端末１０の所在情報（ＩＰアドレスなど）を記憶しており、無線アクセスポイント４０を介してＬＡＮ１１０に接続し、演奏端末１０と通信する。また、インストールされているプログラムの実行によりＧＵＩを通じて利用者と対話し、楽曲の演奏予約など、演奏端末１０を操作するためのリモコン装置として機能する。
【００１０】
＝＝＝演奏端末１０の基本構成と通常演奏機能＝＝＝
演奏端末１０は、汎用パソコンの応用装置である。図２にそのブロック構成を例示した。中央制御部１１は周辺構成部を制御して演奏端末１０を統括する。ハードディスク装置１２には、メインコンピュータのプログラムのほか、伴奏音楽や歌詞画像の起源となるカラオケデータを楽曲ＩＤに対応付けして記憶している。
【００１１】
客室端末２０の外部記憶には、演奏端末１０にて演奏可能なカラオケ楽曲について、曲名・アーティスト名・楽曲ジャンルなどの目次情報を、楽曲ＩＤに対応付けして集約した楽曲索引データベースが記憶されている。客室端末２０は、タッチパネルを介した利用者との対話を通じて、利用者の希望する楽曲の目次情報を楽曲索引データベースから検索して提示する。そして、客室端末２０において最終的に１曲に特定されたカラオケ楽曲を演奏予約する旨の利用者の指示入力がなされると、その楽曲の楽曲ＩＤを含む演奏予約電文を同室内の演奏端末１０に転送する。
【００１２】
演奏端末１０の中央制御部１１は、客室端末２０から送信されてきた楽曲ＩＤを受け付けたり、操作／表示パネル１３に入力された楽曲ＩＤを受け付けたりすると、その楽曲ＩＤを受け取った順にＲＡＭなどに格納し、その受付順に格納された楽曲ＩＤを演奏処理の待ち行列として管理する。すなわち、受け付け順に待ち行列の先頭から順に登録していく。そして、待ち行列の先頭から楽曲ＩＤを取り出して、その楽曲ＩＤに該当するカラオケデータを取り出す。待ち行列の先頭から楽曲ＩＤを取り出すと、その楽曲ＩＤの次に受け付けた楽曲ＩＤが待ち行列の先頭になる。
【００１３】
中央制御部１１の制御により、取り出されたカラオケデータに基づいて、演奏処理部１５が伴奏音楽の音楽信号を生成し、マイクロホンに入力された歌声信号とミキシングアンプ１６で混合・増幅してスピーカより音響出力する。また、映像処理部１７が、背景映像に演奏の進行に同期して色変わりする歌詞字幕をスーパーインポーズ処理してディスプレイ１８に映像出力する。
【００１４】
＝＝＝遠慮楽曲予約機能＝＝＝
本実施例の演奏端末１０は、上記の通常演奏機能に加え、利用者が遠慮楽曲として先に予約した楽曲を、その後に予約された楽曲の後に予約し演奏する遠慮楽曲予約機能を備えている。
【００１５】
図３に客室端末２０における遠慮楽曲予約機能に関わるユーザインタフェース環境を例示した。利用者が最終的に予約楽曲を選択指定すると、その楽曲についての詳細情報がタッチパネルに表示される。その詳細情報の画面には、曲目やアーティスト名などの目次情報と、演奏端末１０に演奏予約させるための転送ボタン３０と、当該機能により遠慮楽曲を演奏予約させるための遠慮転送ボタン３１が配設されている。客室端末２０は、ここで遠慮転送ボタン３１が指示されると、楽曲ＩＤと遠慮フラグとを含んだ演奏予約電文を生成し、演奏端末１０に送信する。
【００１６】
演奏端末１０は、遠慮フラグとともに送信されてきた楽曲ＩＤをすぐには演奏予約の待ち行列に登録せずに待機させ、その後の所定時間内に受け付けた楽曲ＩＤを優先して演奏予約の待ち行列に登録し、その後で当該待機させた楽曲ＩＤに対応する遠慮楽曲（待機曲）を待ち行列に登録する。
【００１７】
図４には本実施例の遠慮楽曲予約機能にかかる待ち行列登録の際の処理フローを例示している。演奏端末１０の中央制御部１１は、受け取った演奏予約電文に含まれている楽曲ＩＤに遠慮フラグがついていない場合には、通常演奏機能の処理に従ってその楽曲ＩＤを待ち行列に登録する（ｓ１→ｓ２→ｓ５）。
【００１８】
一方、受け取った演奏予約電文に、楽曲ＩＤと遠慮フラグとが含まれていた場合に、この楽曲ＩＤをすぐには待ち行列に登録しない。待ち行列とは別の記憶領域（メモリ）に当該楽曲ＩＤを待機曲としてメモリに記憶する。その際に、この待機楽曲ＩＤに対応付けして、タイマを起動する。この際にタイマ値は、ハードディスク装置１２やＲＯＭなどの適宜な記憶部にあらかじめ記憶されている規定値に設定する（ｓ１→ｓ２→ｓ３）。
【００１９】
中央制御部１１は起動中のタイマを監視しており、満了するとその待機タイマに対応する待機曲の楽曲ＩＤを待ち行列に登録する（ｓ４→ｓ５）。したがって、遠慮フラグを付帯して予約された待機曲の楽曲ＩＤは、予約操作の受け付け順にかかわらず、タイマ値に相当する時間だけ待ち行列への登録が遅れることになる。
【００２０】
待ち行列に登録されている楽曲ＩＤは、中央制御部１１が通常演奏機能の処理に従って、待ち行列の先頭の楽曲ＩＤから順に取り出して演奏処理部１５に転送し、演奏処理を行なわせる。このようにして、遠慮フラグを付された待機曲は、タイマ値の時間だけ、後続して予約操作された楽曲の演奏予約を優先させる。
【００２１】
この遠慮楽曲予約機能によれば、希望曲を何分かの後に、後の人がまだ選曲していなくても演奏予約することができる。そのため、選曲操作を行ったら、他のメンバーに気兼ねすることなく今すぐ予約操作も行える。そうすると、選曲操作も効率よく行えるし、メンバー間でスムーズに選曲装置や目次本など都合しあえ、カラオケの場が円滑になる。
【００２２】
＝＝＝待機タイマのタイマ値について＝＝＝
待機タイマのタイマ値を規定値とするのではなく、利用者入力により設定できるようにしてもよい。たとえば楽曲詳細画面に予約の待ち時間情報として、タイマ値を入力するための数値キーや、数値を選択可能にしたプルダウンメニューなどを用意しておく。利用者は、たとえば、メンバー全員が選曲しおわる時間を見計らってその時間をタイマ値として入力したり、３０分後に合流予定のメンバーのために選曲してタイマ値を３０分と入力したりすることができる。
【００２３】
客室端末２０は、遠慮転送指示にともなってタイマ値が入力されると、楽曲ＩＤとともに遠慮フラグおよび待機タイマのタイマ値を含んだ演奏予約電文を演奏端末１０に送信する。もちろん、遠慮フラグのかわりにタイマ値を楽曲ＩＤに付帯させることとしてもよい。
【００２４】
演奏端末１０は、遠慮フラグのついた（あるいはタイマ値が付帯された）楽曲ＩＤを待機楽曲としてタイマ値とともにメモリに記憶するとともに、待機タイマに受け付けたタイマ値を設定して起動すればよい。
【００２５】
なお、利用者がタイマ値を指定しない場合は、あらかじめ設定されている規定値を採用すればよい。また、規定値を演奏端末１０の使用開始前などに一律に、カラオケ店のフロントコンピュータからの入力や利用者入力により設定できるようにしておいてもよい。たとえばメンバー数に応じたタイマ値を規定して設定することができる。
【図面の簡単な説明】
【００２６】
【図１】本実施例に係るカラオケ装置の構成を例示している。
【図２】本実施例に係る演奏端末のハードウェア構成を例示している。
【図３】同上客室端末における選曲画面を例示している。
【図４】本実施例に係る遠慮楽曲予約処理フロー図である。
【符号の説明】
【００２７】
１０  演奏端末
１１  中央制御部
２０  客室端末
【図１】
2008310264.tif 000003
【図２】
2008310264.tif 000004
【図４】
2008310264.tif 000005
【図３】
2008310264.tif 000006